(57)【要約】【課題】ケーブルの接続作業効率を改善することができるアース中継端子および電気装置を提供する。【解決手段】分電盤１は、複数の分岐ブレーカ６と、アース中継端子２２と、分岐ブレーカ６に接続する負荷電線１６およびアース中継端子２２に接続するアース用電線１７を有するケーブル１５とを備える。アース中継端子２２は、互いに並設された複数の電気機器に沿って配置されるアース用の接地バー１０と、各分岐ブレーカ６に対向して接地バー１０に設けられてアース用電線１７を接続する挿入式端子１１とを備える。挿入式端子１１はアース用電線１７を挿入することにより接続するものであり、アース用電線１７を挿入させる電線挿入口とアース用電線１７の先端を外部へ突出させる開口を有し、アース用電線１７を接続した状態でアース用電線１７の先端が外部へ突出可能である。【選択図】        図１
2008289294.tif 000002
【特許請求の範囲】
【請求項１】
並設された複数の電気機器に沿って配置されるアース用の接地バーと、前記複数の電気機器にそれぞれ接続する複数のケーブルに含まれるアース用電線を接続するものであって、前記電気機器の各々に対向する位置の前記接地バー上に設けられた端子部とを備えたアース中継端子。
【請求項２】
前記端子部は前記アース用電線を挿入することにより接続する挿入式端子であり、前記アース用電線を接続した状態で前記アース用電線の先端が外部へ突出可能な請求項１記載のアース中継端子。
【請求項３】
請求項１または請求項２記載のアース中継端子と、前記アース中継端子の接地バーに沿って並んだ複数の電気機器と、前記アース中継端子の端子部に接続されるアース用電線を有するとともに前記電気機器の端子に接続される電線を有するケーブルとを備えた電気装置。
【発明の詳細な説明】
【技術分野】
【０００１】
この発明は、分電盤などに適用されるアース中継端子およびそれを用いた電気装置に関するものである。
【背景技術】
【０００２】
従来の分電盤を図５から図７に示す。図５は分電盤の内部の構成図である。５０は主幹ブレーカ、５１は複数の分岐ブレーカ、５２はアース中継端子、５３は３芯のケーブルである。主幹ブレーカ５０の入力端子には入力電線５４が接続され、主幹ブレーカ５０の出力端子と分岐ブレーカ５１の入力端子とがカバー５８の下で接続バー（図示せず）などで接続されている。また各分岐ブレーカ５１の出力端子にケーブル５３の負荷電線５５が接続され、各ケーブル５３のアース用電線５６がアース中継端子５２に接続され、アース中継端子５２はアースされるべきアース線５７に接続されている。
【０００３】
図６は図５の破線で囲んだ部分の斜視図である。図７は別の従来例を示し、アース中継端子５２が分岐ブレーカ５１の近くに配置されている点が図５のものと異なっている。
【０００４】
このように従来の分電盤は、たとえば特許文献１にも示すように、アース中継端子５２を設けることにより、ケーブル５３のアース用電線５６の接続処理を便利にしている。
【特許文献１】特開平６−８６４１３号公報
【発明の開示】
【発明が解決しようとする課題】
【０００５】
しかし、上記従来例は、アース中継端子５２を分岐ブレーカ５１から離れた位置に配置していた。また分岐ブレーカ５１の近くに配置したものでも、アース中継端子５２から離れた分岐ブレーカ５１が存在した。そのため、各ケーブル５３を各分岐ブレーカ５１に配線するとき、分岐ブレーカ５１の出力端子に接続する負荷電線５５よりも、アース用電線５６をケーブル５３から長く引き出す必要が生じた。この場合のケーブル５３の端部処理作業は、負荷電線５５およびアース用電線５６をアース用電線５６の必要長さに等しい長さ露出させて、２本の負荷電線５５を必要な長さに切断する作業を伴うので手間が増え、ケーブル数が多いほどその手間が顕著になり、したがってケーブル５３の接続作業効率が低下するという欠点があった。負荷電線５５の切断による無駄も発生した。
【０００６】
したがって、この発明の目的は、ケーブルの接続作業効率を改善することができ電線の無駄も低減できるアース中継端子および電気装置を提供することである。
【課題を解決するための手段】
【０００７】
この発明のアース中継端子は、並設された複数の電気機器に沿って配置されるアース用の接地バーと、前記複数の電気機器にそれぞれ接続する複数のケーブルに含まれるアース用電線を接続するものであって、前記電気機器の各々に対向する位置の前記接地バー上に設けられた端子部とを備えたものである。
【０００８】
上記構成において、前記端子部は前記アース用電線を挿入することにより接続する挿入式端子であり、前記アース用電線を接続した状態で前記アース用電線の先端が外部へ突出可能な構成を有する。
【０００９】
この発明の電気装置は、上記構成のアース中継端子と、前記アース中継端子の接地バーに沿って並んだ複数の電気機器と、前記アース中継端子の端子部に接続されるアース用電線を有するとともに前記電気機器の端子に接続される電線を有するケーブルとを備えたものである。
【発明の効果】
【００１０】
この発明のアース中継端子および電気装置によれば、複数の電気機器に沿って接地バーを配置し、端子部を複数の電気機器に対向して接地バーに設けたため、電気機器に接続する電線よりもアース用電線をすべて同等以下の長さにすることができ、アース用電線を切断する場合でもケーブル当たり１本であり、切断長さも短いので、ケーブルの接続作業効率を改善することができるとともに、アース用電線の切断による無駄も低減できる。
【００１１】
端子部を挿入式端子にすることにより、電線を端子部に簡単に接続することができるので接続作業効率がさらに良好になるとともに、アース用電線の先端を外部に突出できるため、挿入式端子に接続されたアース用電線の先端を外部から視認でき、その先端をして接続確認表示の役目をさせることが可能となるので、接続確認が容易になる。
【発明を実施するための最良の形態】
【００１２】
この発明の一実施の形態の分電盤を図１から図４により説明する。図１は分電盤の内部の構成図である。１は分電盤、２はその主幹ブレーカであり、入力端子３に入力電線４が接続されている。主幹ブレーカ２の出力端子５側には主幹ブレーカ２が先頭になるように複数の分岐ブレーカ６が２列に並び、分岐ブレーカ６の入力端子７を列間に向けており、出力端子８を入力端子７と反対側に配置している。主幹ブレーカ２の出力端子５と分岐ブレーカ６の入力端子７は接続バー等（図示せず）により接続され、その上部が表示部のあるカバー９で被覆されている。
【００１３】
２２はアース中継端子であり、アース用の接地バー１０と挿入式端子１１からなる。接地バー１０は分岐ブレーカ６の出力端子８側に沿ってそれぞれ配置されている。各接地バー１０には各分岐ブレーカ６に対向する位置に取付孔（図示せず）が形成されている。挿入式端子１１はその取付部１２の孔（図示せず）が接地バー１０の取付孔に整合されてリベット２１により連結されている。したがって挿入式端子１１は各分岐ブレーカ６ごとにその対向位置の接地バー１０上に設けられることとなる。
【００１４】
ケーブル１５はたとえば３芯ケーブルであり、そのうち２本が負荷に接続される負荷電線１６であり、１本がアース用電線１７である。ケーブル１５は分岐ブレーカ６ごとに設けられ、各ケーブル１５の負荷電線１６は対応する分岐ブレーカ６の出力端子８に接続される。同様に各ケーブル１５のアース用電線１７は各分岐ブレーカ６に対向して設けられた挿入式端子１１に接続される。この場合、出力端子８よりも挿入式端子１１の方がケーブル１５の端部に近いので、ケーブル１５から露出させるアース用電線１７は負荷電線１６よりも若干短いので、そのまま挿入式端子１１に接続するか、必要な長さに切断して接続するが、切断寸法は短くよいので無駄は少ない。また挿入式端子１１に挿入接続されたアース用電線１７の先端は取付部１２側に突き抜けて突出しており、外部から容易に視認することができ、接続の有無の判別に利用できる。接地バー１０の主幹ブレーカ２と反対側の端部間は接続電線１３より接続されている。接地バー１０の一方の端部よりアースされるべきアース線１４が接続されている。これによって、ケーブル１５のアース用電線１７はアース中継端子２２の挿入式端子１１および接地バー１０を介して直接または接続電線１３を経てアース線１４に接続される。
【００１５】
図２は図１の破線で囲んだ部分の斜視図である。挿入式端子１１の取付部１２は、負荷電線１６とアース用電線１７が揃った状態でアース用電線１７が挿入式端子１１に接続されるように挿入式端子１１に対して折曲されている。このためアース用電線１７を挿入式端子１１に接続しやすい。取付部１２の中心にリベット２１を通す孔を形成するとともに、取付部１２の回り止めとして接地バー１０の側縁に係止する突片２３を取付部１２の付け根の両側に設けている。
【００１６】
図１および図２において、ケーブル１５と分岐ブレーカ６およびアース中継端子２２との接続は、ケーブル１５の端部より負荷電線１６とアース用電線１７を負荷電線１６の必要長さ分露出し、負荷電線１６は出力端子８に接続する。この場合、ケーブル１５の端部から露出する負荷電線１６はケーブル１５の端部から分岐ブレーカ６の出力端子８までの長さであるが、ケーブル１５の端部から挿入式端子１１までの距離は分岐ブレーカ６までの距離よりも短いため、ケーブル１５から露出するアース用電線１７は負荷電線１６よりも短くてよい。したがって、アース用電線１７はケーブル１５の端部から挿入式端子１１までの長さに切断するか、あるいは支障のない許容範囲であればそのままアース用電線１７を挿入式端子１１に接続し、かつ、その先端を挿入式端子１１の取付部１２側より突出させている。
【００１７】
図３は挿入式端子１１の分解斜視図であり、挿入式端子１１は電線を挿入することにより接続する、たとえば速結端子であり、部品として本体部１８と、カバー部１９と、鎖錠ばね２０からなっている。本体部１８は平板を略Ｌ字形に折曲して一片を取付部１２とし、他片を接続部２４としている。接続部２４は周縁部に端片２６と側片２５ａ、２５ｂを折曲して周壁を形成しているが、側片２５ａ、２５ｂと取付部１２との間には隙間２７を形成している。また端片２６の一端に電線挿入用切欠き２８を形成し、接続部２４の中央に支持片２９を切り起こしている。
【００１８】
カバー部１９は接続部２４の側片２５ａ、２５ｂに被さるもので、側片２５ａ、２５ｂの外側に重なる外側部３０を有する略Ｕ字形をなし、外側部３０に係止突起３１を設け接続部２４の底部に係止してカバー部１９を本体部１８に取付けている。接続部２４にカバー部１９を被せることにより、電線挿入用切欠き２８とカバー部１９とで電線挿入口３２が形成され、また接続部２４とカバー部１９とで電線挿入口３２と反対側に開口３３を形成している。これによって、電線挿入口３２から挿入されたアース用電線１７の先端が開口３３から外部へ突出可能となっている。３４は鎖錠ばね２０で係止したアース用電線１７を外す場合に鎖錠ばね２０を解錠する治具を挿入するための穴である。
【００１９】
鎖錠ばね２０は板ばねの略中央をＵ字に折曲して中央折り曲げ部３５を形成し、一端を９０度以上折り曲げて鎖錠部３６とし、他端を鎖錠部３６と同方向にかつ鎖錠部３６よりも大きく折り曲げて接触部３７としている。鎖錠ばね２０は接続部２４とカバー部１９との間のスペースに収納され、支持片２９と電線挿入口３２から離れた側片２５ａとの間に中央折り曲げ部３５を位置させて鎖錠ばね２０を位置決めし、アース用電線１７の挿入スペースを確保している。
【００２０】
図４は挿入式端子１１の組み立て状態であり、かつアース用電線１７を接続した状態である。組み立て状態で鎖錠ばね２０の鎖錠部３６は電線挿入口３２の内側に臨んでおり、電線挿入口３２に挿入されたアース用電線１７を鎖錠部３６の先端と側片２５ｂの内面との間に挟み抜け止め係止する。また接触部３７はアース用電線１７を接触部３７と側片２５ｂとの間に挟み電気接触状態とする。アース用電線１７の先端は開口３３より突出し外部に露出し、これが電線接続の有無もしくは完全不完全を目視判別させるための表示となり、視認性を良好にしている。
【００２１】
なお、アース用電線１７ａはより線の端部に挿入式端子１１に挿入するたとえば棒形の圧着端子を接続した例である。
【００２２】
実施の形態において電気機器は分岐ブレーカ６とし、電気装置は分電盤１とし、端子部は挿入式端子１１としたが、それぞれそれらに限らない。端子部すなわち挿入式端子１１はリベット２１で接地バー１０に取付けたが、ねじその他の取付手段により取付けることができる。支持片２９は鎖錠部３６および接触部３７の動作に影響しなければ、鎖錠ばね２０のどの位置を支持してもよい。電気機器の端子に接続されるケーブルの電線は負荷電線１６に限らない。
【図面の簡単な説明】
【００２３】
【図１】この発明の一実施の形態の分電盤の構成図である。
【図２】その部分斜視図である。
【図３】挿入式端子の分解斜視図である。
【図４】挿入式端子の電線接続状態の斜視図である。
【図５】従来例の分電盤の構成図である。
【図６】その部分斜視図である。
【図７】別の従来例の分電盤の構成図である。
【符号の説明】
【００２４】
１  分電盤
６  分岐ブレーカ
１０  接地バー
１１  挿入式端子
１５  ケーブル
１６  負荷電線
１７  アース用電線  
２２  アース中継端子
【図１】
2008289294.tif 000003
【図２】
2008289294.tif 000004
【図３】
2008289294.tif 000005
【図４】
2008289294.tif 000006
【図５】
2008289294.tif 000007
【図６】
2008289294.tif 000008
【図７】
2008289294.tif 000009